(57)【特許請求の範囲】
【請求項１】
表面層と吸収層とを備え、着用者の腹側部、股下部及び背側部を繋ぐ方向に対応する縦方向と、該縦方向と直交する幅方向とを有し、該縦方向に沿って、前方部、後方部、及び該前方部と該後方部の間に位置し、排泄ポイントに対応する領域を含む中間部を有する吸収性物品であって、
前記吸収層又は前記吸収層より表面層側の部材に、冷感剤を含む領域を有し、
前記吸収層に分断部を、前記冷感剤を含む領域と平面視において重なる位置に備え、
前記分断部は、スリット部として複数配されている、吸収性物品。
【請求項２】
前記スリット部の幅が０．５ｍｍ以下である、請求項１記載の吸収性物品。
【請求項３】
前記分断部は、前記縦方向に延びる長さを有して前記縦方向に複数配列され、前記分断部間の間隔を該分断部の長さ以下にしている、請求項１又は２に記載の吸収性物品。
【請求項４】
前記表面層より肌面側に、前記吸収層の幅方向両端縁を跨ぎ、縦方向に延びるサイドシートが配置され、少なくとも前記中間部において、該サイドシートの幅方向内側端は最も幅方向外側に位置する分断部より幅方向外側にある、請求項１〜３のいずれか１項に記載の吸収性物品。
【請求項５】
前記吸収層は高吸収性ポリマー材及び親水性繊維を含む吸収性シートから構成されている、請求項１〜４のいずれか１項に記載の吸収性物品。
【請求項６】
前記表面層と前記吸収層の間には、平面視において前記冷感剤を含む領域と重なる部位に中間繊維層を有する、請求項１〜５のいずれか１項に記載の吸収性物品。
【請求項７】
吸収層となる原料部材の所定幅に亘って冷感剤を塗布する工程と、吸収層となる原料部材の表面に冷感剤塗布幅よりも広い幅に亘って前記吸収層の縦方向に延びる分断部領域を設ける工程とを備える、吸収性物品の製造方法。
【請求項８】
前記冷感剤を塗布する工程が前記分断部領域を設ける工程の後に行われる、請求項７記載の吸収性物品の製造方法。
【発明の詳細な説明】
【技術分野】
【０００１】
本発明は、生理用ナプキンや失禁パッド、おむつなどの吸収性物品に関する。
【背景技術】
【０００２】
生理用ナプキン等の吸収性物品において、排泄液が多いときや長時間使用するときなどにムレやべたつきが生じて着用者が不快に感じることがある。これに対し、従来、清涼剤等の冷感剤を吸収性物品に含有させることによって、着用感の向上をはかろうとする技術があった（例えば特許文献１及び２）。冷感剤は揮発して、着用者の肌の感覚神経細胞のＴＲＰＭ８やＴＲＰＡ１などを刺激して受容器のしきい値を変化させることで清涼感が感じられる。特許文献２記載の吸収性物品は、冷感材が排泄によって消耗されるという問題に対応するため、着用者の排泄部に当接する領域における冷感材料の量を、それ以外の領域よりも多くしている。
【先行技術文献】
【特許文献】
【０００３】
【特許文献１】国際公開第２００２／０８３１９１号
【特許文献２】特開２０１０−２３４０３１号公報
【発明の概要】
【０００４】
本発明は、表面層と吸収層とを備え、着用者の腹側部、股下部及び背側部を繋ぐ方向に対応する縦方向と、該縦方向と直交する幅方向とを有し、該縦方向に沿って、前方部、後方部、及び該前方部と該後方部の間に位置し、排泄ポイントに対応する領域を含む中間部を有する吸収性物品であって、前記吸収層又は前記吸収層より表面層側の部材に、冷感剤を含む領域を有し、前記吸収層に分断部を、前記冷感剤を含む領域と平面視において重なる位置に備える、吸収性物品を提供する。
また、本発明は、吸収層となる原料部材の所定幅に亘って冷感剤を塗布する工程と、吸収層となる原料部材の表面に冷感剤塗布幅よりも広い幅に亘って前記吸収層の縦方向に延びる分断部領域を設ける工程とを備える、吸収性物品の製造方法を提供する。
【０００５】
本発明の上記及び他の特徴及び利点は、適宜添付の図面を参照して、下記の記載からより明らかになるであろう。
【図面の簡単な説明】
【０００６】
【図１】本発明における吸収性物品の好ましい一実施形態としての生理用ナプキンを伸長した状態で肌当接面側から模式的に示す一部切欠斜視図である。
【図２】図１に示す生理用ナプキンのＩＩ−ＩＩ線断面を模式的に示す断面図である。
【図３】吸収層の平面図である。
【図４】吸収層の別の好ましい態様を模式的に示す断面図であり、（Ａ）は表面層側に凸部と凹部空間とを有する態様の断面図であり、（Ｂ）は裏面層側に凸部と凹部空間とを有する態様の断面図である。
【図５】（Ａ）は吸収層が分断部を軸に変形した状態の１例を模式的に示す断面図であり、（Ｂ）は吸収層が分断部を軸に変形した状態の他の例を模式的に示す断面図である。
【図６】中央吸収性シートの折り畳み構造の他の好ましい例を示す断面図である。
【図７】（Ａ）はスリット部列が１列ある場合のスリット部の縦方向長さとスリット部間の縦方向の間隔との関係を示す模式図であり、（Ｂ）はスリット部列が複数列ある場合のスリット部の縦方向長さとスリット部間の縦方向の間隔との関係を示す模式図であり、（Ｃ）はスリット部列が複数列ある場合のスリット部間の縦方向の間隔が無い場合を示す模式図である。
【図８】吸収層におけるポリマーリッチ領域と繊維リッチ領域とを部分的に拡大して示す断面図である。
【発明の詳細な説明】
【０００７】
本発明は、着用者の肌に対する適度な冷感効果を長く効果的に維持する吸収性物品に関する。
【０００８】
吸収性物品における冷感剤の含有量は揮発によって時間の経過とともに低減し、清涼効果は薄らいでいく。しかし、特許文献２記載の吸収性物品のように単に冷感材の量を増やしては、肌への刺激が強くなり過ぎ、却って着用感を損ねかねない。
【０００９】
これに対し、本発明に係る吸収性物品は、着用者の肌に対する適度な冷感効果を長く効果的に維持することができる。
【００１０】
以下、本発明に係る吸収性物品の好ましい一実施形態としての生理用ナプキン（以下、ナプキンとも言う）１０について、図面を参照しながら説明する。
本発明においては、特に断らない限り、人体に接触する側を肌面側ないし肌当接面側あるいは表面側といい、これと反対側を非肌面側ないし非肌当接面側あるいは裏面側という。これらは、人体に接触する面を有さない部材に関しても、吸収性物品の部材構成における相対的な位置関係を示す用語として用いる。また、着用時に人体の前側に位置する方向を前方といい、後側に位置する方向を後方という。吸収性物品の表面又は裏面の法線方向を厚み方向という。
【００１１】
ナプキン１０は、図１及び２に示すように、肌当接面側の表面層１と、表面層１の非肌当接面側に位置する液保持性の吸収層３とを有する。本実施形態においては、吸収層３の非肌当接面側に裏面層２が配されている。表面層１は液を吸収層３へと送り込む液透過性を備え、裏面層２は吸収層３にある液に対する防漏性を備える。表面層１及び裏面層２は吸収層３の両面を覆いつつ、吸収層３の外縁外方へと延出する大きさを有する。さらに表面層１と吸収層３との間には、液拡散性を備える中間繊維層４を有する。また、表面層１の肌当接面側の両側にサイドシート５が積層されている。サイドシート５と裏面層２とが吸収層３の幅方向外方に延出して、着衣等への固定手段であるウイング部６を形成している。ウイング部６及び裏面層２の非肌当接面側には、ナプキン１０を着衣に固定するための粘着部（図示せず）を有している。このシートの積層構造において、ナプキン１０の外周縁は、吸収層３を介在させずに接合された外周シール部９となっている。
【００１２】
ナプキン１０は、他の構成部材を含んでいてもよく、また中間繊維層４、サイドシート５を有さない形態であってもよい。さらに表面層１から吸収層３にかけて圧搾した防漏溝、表面層１上の複数のエンボスなどを有していてもよい。また、サイドシート５は、表面層１と接合されながら、表面層１の両側よりも内方側に自由端部を残すようにしてもよく、前記自由端部に弾性部材等を配して防漏カフを構成してもよい。
【００１３】
ナプキン１０は、平面視において、縦方向（Ｙ方向）と、該縦方向と直交する幅方向（Ｘ方向）とを有する、縦長形状である。また表面層１、裏面層２及び吸収層３は、ナプキン１０と同様に、縦長形状である。縦方向は、ナプキン１０の装着時における、着用者の腹側部、股下部及び背側部を繋ぐ方向に対応する。幅方向は、着用者の股下における左右の足を繋ぐ方向に対応する。本明細書において、縦方向（Ｙ方向）及び幅方向（Ｘ方向）は、ナプキン１０の平面視における方向を示すと同時に、表面層１、裏面層２及び吸収層３の平面視における方向を示す。
【００１４】
ナプキン１０は、縦方向に関して、着用者の排泄ポイントに対応する領域を含む中間部Ｃを有する。さらに、中間部Ｃよりも前方の下腹部側に配置される前方部Ｆ、後方の臀部側に配置される後方部Ｒを有する。また、中間部Ｃには、幅方向中央部分に、前記排泄ポイントに対向し、排泄液を直接受け止める受液領域Ｃ１がある。受液領域Ｃ１がある「幅方向中央部分」とは、図１及び３に示すように、幅方向の中心線Ｌから左右に広がる所定幅の範囲をいい、吸収層の幅方向両端縁３９よりも内側の範囲の部分を言う。具体的は、ナプキン１０の幅方向の中心線Ｌから左右に広がる領域であって、吸収層幅に対して４０％以上６０％以下の範囲の部分をいう。なお、中間部Ｃ、受液領域Ｃ１、前方部Ｆ及び後方部Ｒは、ナプキン１０における区分を示すと同時に、これに対応する表面層１、吸収層３及び裏面層２における区分をも示す。
【００１５】
中間部Ｃ、前方部Ｆ及び後方部Ｒの区分位置は、使用目的等によって設定される吸収性物品の長さに応じて適宜設定され得る。ショーツの股下部に折り曲げて固定するウイング部を備える場合は、該ウイング部の存在する縦方向に沿った領域が中間部Ｃとなる。本実施形態のナプキン１０は、昼用などとして設定される形状の例を示しており、縦方向の長さを３等分して、前方部Ｆ、中間部Ｃ及び後方部Ｒが設定されており、ウイング部を備えない昼用のナプキンの場合には、中間部はこの設定に従う。ナプキン１０がどのような形状であっても一般的には、中間部Ｃは、前方部Ｆからの一定の距離の位置にある部位として設定され得る。さらに大人用若しくは幼児用のおむつなど、また、尿取りパッドなどについては、縦方向の長さを３等分して、前方部Ｆ、中間部Ｃ及び後方部Ｒが設定される。
【００１６】
次に、ナプキン１０が有する冷感剤及び吸収層３の分断部８について説明する。
【００１７】
冷感剤を含む領域が、吸収層３又は吸収層３よりも表面層１側の部材に配されている。冷感剤は、揮発して、着用者の皮膚及び／又は粘膜表面の温度受容器を刺激して、皮膚及び／又は粘膜表面上の温度を変化させる必要なしに、着用者に冷感、爽快感を感じさせることができる剤である。冷感剤を含む領域は、着用者の肌に対する適度な冷感効果を長く効果的に維持させる観点から、表面層１よりも非肌当接面側にあることが好ましい。このとき、表面層１に冷感剤が含まれる態様を排除するものではなく、冷感剤の含有量が最も多い領域が表面層１よりも非肌面側にあることが好ましい。また、冷感剤を含む領域は、ナプキン１０の平面視において、中間部Ｃにあることが好ましい。
【００１８】
冷感剤を含む、吸収層３よりも表面層１側の部材としては、例えば、中間繊維層４や、図示しないが吸収層３の肌当接面側を被覆する液透過性のシートなどが挙げられる。
【００１９】
冷感剤が吸収層３に含まれる場合、吸収層３のいずれの部位に含まれてもよい。ただし、後述の分断部８による空気の動きに連動した冷感剤の揮発成分の肌への効果的な移動を考慮すると、冷感剤が吸収層３の肌面側に含まれていることが好ましい。ここで言う「吸収層３の肌面側」とは、吸収層３の厚みを２等分した場合の肌面側の領域をいう。この場合、吸収層３の肌面側に冷感剤が含まれていれば、非肌面側に冷感剤が含まれていてもよい。吸収層３の肌面側において、冷感剤の含有量が非肌面側よりも相対的に多い領域があることがより好ましい。冷感剤の含有量が相対的に多い領域は、吸収層３の肌面側であれば、肌面側の最表面に無くてもよい。なお、吸収層３に冷感剤が含まれる場合、吸収層３よりも表面層１側の部材に冷感剤が含まれていてもよく、含まれていなくてもよい。
【００２０】
吸収層３においては、冷感剤が、吸収層３の肌面側であって、該肌面側の幅方向両端縁３９よりも内側の領域に含まれることが好ましい。
これにより、ナプキン１０の内部において冷感剤を長持ちさせ、着用者の鼠蹊部など肌の敏感な部分への刺激を抑制しつつ、後述の分断部８の作用による肌への冷感付与をより確実に行うことができる。この観点から、吸収層３の「肌面側の幅方向両端縁３９よりも内側の領域」とは、着用者の肌の鼠蹊部の付近を避けた領域を言う。具体的には、幅方向の両端縁３９を含まずに幅方向の中心線Ｌから左右に広がる領域であって、吸収層幅に対して７５％以下の範囲の領域であることが好ましく、吸収層幅に対して６０％以下の範囲の領域であることがより好ましい。
【００２１】
冷感剤を含む領域において、ナプキン１０の中間部Ｃの幅方向中央（受液領域Ｃ１）に、周囲よりも冷感剤坪量が少ない領域を有することが好ましい。
これにより、着用者の刺激に敏感な排泄部に対して冷感が強くなり過ぎることを抑制することができる。肌への過度な刺激を抑制する観点から、前記「冷感剤を含む領域」と該領域内の「冷感剤坪量が少ない領域」とは、表面層１に近い部材の平面方向に広がる領域であることが好ましい。例えば、中間繊維層４に冷感剤が含まれている場合、中間繊維層４の平面領域において、中間部Ｃの幅方向中央に、周囲よりも冷感剤坪量が少ない領域を有することが好ましい。また吸収層３に冷感剤が含まれている場合、吸収層３の肌面側の最表層の平面領域において、中間部Ｃの幅方向中央に、周囲よりも冷感剤坪量が少ない領域を有することが好ましい。
【００２２】
ナプキン１０において、冷感剤は、後述する分断部８の作用によって、残存量が低減しても効果的に肌へと送り出されるため、過度に含有量を増量する必要がない。そのため従来と同様の含有量をしながら、肌への刺激を抑え、適度な冷感効果を長く効果的に維持することができる。
具体的には、ナプキン１０全体における冷感剤の含有量は、冷感をほどよく感じ、ムレやべたつく感覚を低減させる効果の観点から、例えば、乳酸メンチルの場合であれば、製品長に対して４ｍｇ／１００ｍｍ以上が好ましく、５ｍｇ／１００ｍｍ以上がより好ましく、６．５ｍｇ／１００ｍｍ以上が更に好ましい。前記含有量は、肌への刺激を抑制する観点から、１３．５ｍｇ／１００ｍｍ以下が好ましく、１２．５ｍｇ／１００ｍｍ以下がより好ましく、１１．５ｍｇ／１００ｍｍ以下が更に好ましい。
また、中間部Ｃの幅方向中央の吸収層３における表面層１に近い部位あるいは中間繊維層４に「周囲よりも冷感剤坪量が少ない領域」を有する場合、「周囲よりも冷感剤坪量が少ない領域」の冷感剤の含有坪量は、他の領域の冷感剤の含有坪量の８５％以下であることが好ましく、７５％以下であることがより好ましく、６５％以下であることが更に好ましい。
【００２３】
（冷感剤の含有の有無、含有量の測定方法）
吸収性物品の対象部材又は対象部位から冷感剤を溶媒で抽出し、抽出溶液をガスクロマトグラフィ法（ＧＣ）で分析することができる。測定は、ガスクロマトグラフに取り付けた水素炎イオン化型検出器（ＦＩＤ）で行い、例えば、Agilent  technologies製7890Aにより測定することができる。予め冷感剤を構成する化合物の濃度とピーク面積の関係を検量線化しておき、当該検量線を基に定量作業を行う。
冷感剤が乳酸メンチル及び／又はメントールを含む場合を例に説明する。溶媒としてメタノールを使用して対象部材又は対象部位から乳酸メンチル及び／又はメントールを抽出する。メタノールを溶媒として、予め濃度の異なる３〜５段階程度の乳酸メンチル溶液及び／又はメントール溶液を準備し、ＧＣのクロマトグラムからそれぞれの濃度のピーク面積を算出し、標準試料として、ｎ−ペンチルアルコールを用い、標準試料の濃度に対してそのピーク面積をプロットした検量線を作成する。検量線を作成した分析と同じ条件で抽出液の分析を行うことで、得られたピーク面積を検量線にあてはめて乳酸メンチル量及び／又はメントール量を算出する。また、得られた乳酸メンチル量及び／又はメントール量を、予め採取した製品部位の面積で除することにより、単位面積当たりの冷感剤量（冷感剤坪量）を求めることができる。また、得られた乳酸メンチル量及び／又はメントール量を、吸収性物品長さ方向の長さ（ｍｍ）で除し、１００倍することで、製品長さ１００ｍ当りの冷感剤量を求めることができる。
製品の各構成部材又は部位ごとの冷感剤量を知るには、５℃のチャンバー内で製品を分解し、測定する材料部位を取り出すことで分析可能となる。
【００２４】
吸収層３は分断部８を有する。
分断部８とは、吸収層３の構成材料の連続性が断絶された部分であり、部材のない隙間部分である。例えば、細長く切り込まれたスリット部であってもよく、部材の一部が押圧されて窪んだ凹部空間であってもよく、部材の坪量が部分的に小さくされた凹部空間であってもよい。
【００２５】
本実施形態においては、分断部８はスリット部８１として配されている（図１〜３参照）。スリット部８１は吸収層３の平面領域において複数分散して配列されている。ここで言う「スリット部」は、部材断絶の幅が０．５ｍｍ以下の切り込み部分として定義でき、好ましくは０．３ｍｍ以下であり、より好ましくは０．２ｍｍ以下である。スリット部８１の「幅」とは、ナプキン１０の平面視において、スリット部８１の延出する長さ方向に直交する方向の、断絶された部材間の距離（開口幅）をいう。スリット部８１の幅は、ナプキン１０から吸収層３を取り出して水平な台に静置し、張力を加えない自然状態において、株式会社キーエンス製のデジタルマイクロスコープＶＨＸ−１０００によって測定することができる。そのとき測定倍率は適宜調整して測定する。
スリット部８１については、吸収層３の好ましい具体的態様の説明とともに後述する。
【００２６】
分断部８が、部分的に坪量の小さい凹部空間８２である場合の具体例としては、例えば、図４（Ａ）及び（Ｂ）に示す吸収層３１０Ａ及び３１０Ｂが挙げられる。これらは、親水性繊維の積繊体または親水性繊維と高吸収性ポリマー材との混合積繊体であって、所定の厚みを有し、部分的に坪量が減じられた凹凸形状を有する。ここでいう高吸収性ポリマー材はいわゆるＳＡＰと呼ばれる表面架橋された高分子材料である（以下、同様）。
具体的には、図４（Ａ）に示す吸収層３１０Ａは、表面層１側（肌面側）にブロック状の凸部３１１を複数有し、凸部３１１、３１１間に、坪量の小さい凹部空間８２を分断部８として複数有する。また、図４（Ｂ）に示す吸収層３１０Ｂは、裏面層２側（非肌面側）に、ブロック状の凸部３１１と、分断部８としての凹部空間８２とを複数有する。図４（Ａ）においては裏面層２側に、図４（Ｂ）においては表面層１側に、凹部空間８２の底を塞いで凸部３１１同士を繋ぐ薄皮部３１２を有する。
【００２７】
更に分断部８は、表面層１及び吸収層３が裏面層２側に向かって一体的に凹陥してなる圧密化された凹部空間、すなわち線状溝でもよい。該線状溝は、平面視したときに、中間部Ｃにおいて縦方向（Ｙ方向）に延びる縦溝と、前方部Ｆ及び後方部Ｒにおいて、それぞれ幅方向（Ｘ方向）に延びるように形成された第１及び第２の横溝とを含む。線状溝は、熱を伴うか又は伴わない圧搾加工（いわゆるエンボス加工）、あるいは超音波エンボス等のエンボス加工により常法に従って形成することができる。線状溝においては、表面層１及び吸収層３との間が、図示しないが、接着剤を介して圧着されるか、あるいは熱融着等により一体化している。表面層１と吸収層３との間が結合しているという表現には、表面層１と吸収層３との間に中間繊維層４等の他の層が介在し、その表面層と当該他の層とが接合され、更に当該他の層と吸収層３とが接合（結合）している場合も含まれる。
このような線状溝は、吸収層３の平面方向の液の拡散を抑制して、ナプキン１０の周囲から液漏れを効果的に防止することができる。線状溝の幅（長さ方向と直交する方向の長さ）及び深さは、この種の吸収性物品における線状溝と同様に設定すればよい。また、線状溝における「線状」とは、溝（凹陥部）の形状が平面視において直線に限られず、曲線を含み、各線は、連続線でも破線でも良い。例えば、線状溝は、不連続な多数の点エンボスのなす列から構成されていてもよい。
【００２８】
分断部８は、前述した冷感剤を含む領域と、ナプキン１０の平面視において重なる位置に配されている。平面視において重なる位置にある限り、分断部８が配される領域と冷感剤を含む領域とは、同じ厚み位置にあってもよく、異なる厚み位置にあってもよい。後述の分断部８の冷感剤に対する作用を考慮すると、分断部８が配される吸収層３の領域に冷感剤が含まれていることが好ましい。
【００２９】
分断部８は、吸収層３の厚み方向においてどの位置にあってもよく、表面層１側（肌面側）にあってもよく、表面層１側から所定深さにまであってもよく、吸収層３の厚み方向全体に亘ってあってもよい。後述の分断部８の冷感剤に対する作用を考慮すると、分断部８は少なくとも吸収層３の表面層１側（肌面側）に配されることが好ましい。
【００３０】
分断部８は、吸収層３の構成部材の非連続部分であることから、吸収層３の変形の軸となり得る。例えば、ナプキン１０装着時に、着用者の身体の動きに合わせてナプキン１０の幅方向内方への押圧や前後方向のせん断力等の外力が加わったときに、分断部８を基軸として、吸収層３が変形することができる。これにより分断部８が、吸収層３の変形の仕方によって、一方で空気を溜める空間（例えば図５（Ａ）及び（Ｂ）の符号Ｐで示す領域）を形成し、他方で空気を移動（例えば図５（Ａ）に示す矢印Ｆ）させる通気路を形成することができる。分断部８が通気路となる際には、吸収層３の変形の力が空気を押し出す駆動力として作用する。
【００３１】
このとき、分断部８が冷感剤を含む領域と平面視において重なる位置にあることによって、分断部８の作用による空気の移動（例えば図５（Ａ）に示す矢印Ｆ）に連動して、冷感剤の揮発した成分も移動し易くなる。
すなわち吸収層３の動きの中で空気が出入りすると、吸収層３内部又は部材間に溜まる冷感剤の揮発成分が着用者の肌面へと押し上げられ、効果的に冷感作用が発現する。特に時間が経って冷感剤の含有残存量が少なくなってきたときに、肌面へと、冷感剤の揮発成分を十分に送り込むことができる。例えば、冷感剤が吸収層３の奥に滲出して残存する場合には、吸収層３内部から肌面へと冷感剤の揮発成分を積極的に送り込むことができる。これにより、ナプキン１０は冷感効果をより長く効果的に維持させることができる。なお、吸収層３の両面において、防漏性の裏面層２よりも液透過性の表面層１の方が空気の出入りが大きくなることは、上記の肌面への押し上げを更に効果的にする。
【００３２】
なお、図５（Ａ）及び（Ｂ）は分断部８を軸とした吸収層３の変形を模式的に示しており、実際の変形はこれに限定されるものではない。また、図５（Ａ）に示す矢印Ｆの空気の移動と図５（Ｂ）の符号Ｐで示す空気が溜まる領域の形成とが時間的に異なる場面にて生じるとは限らず、分断部８が配される領域内の異なる場所で同時に生じることもあり得る。さらに、符号Ｐで示す空気が溜まる領域は、分断部８付近のみで生じるものではなく、後述のとおり層間の空間にも生じ得る。層間の空間における空気溜まりは分断部８を軸とした変形の有無に拘らず生じ、該空気及び冷感剤の揮発成分が分断部８を軸とした変形によって肌面へと押し出されることとなる。
【００３３】
分断部８は、肌への好適な冷感付与の観点から、吸収層３の幅方向両端縁３９よりも内側の領域に配されることが好ましい。ここで言う「吸収層３の幅方向両端縁３９よりも内側の領域」とは、着用者の肌の鼠蹊部の付近を避けた領域を言う。具体的には、幅方向の両端縁３９を含まずに幅方向の中心線Ｌから左右に対称に広がる領域であって、吸収層幅に対して８５％以下の範囲の領域であることが好ましく、吸収層幅に対して７０％以下の範囲の領域であることがより好ましい。また、吸収層３の幅方向において最も外側に配置される分断部８は、冷感剤の滲出を制御する観点から、冷感剤が含まれる領域よりも幅方向外側に配されることがより好ましい。上記配置の分断部８による優先的な冷感付与によって、着用者の鼠蹊部などの肌の敏感な部分への刺激を抑制し、着用者に好適な冷感を感じさせることができる。なお、ここでの吸収層３の幅は、吸収層３の中間部Ｃにおける最小幅を意味する。したがって、吸収層３が矩形の場合には、吸収層３の幅は、中間部Ｃにおいて吸収層３の幅方向におけるいかなる部分における幅方向長さであってもよい。一方で、前後部で幅が広く、中間部Ｃで幅が狭い、例えば砂時計形状のような場合には、中間部Ｃにおける最も幅の狭い部分の幅方向長さが吸収層３の幅となる。
また、分断部８は、肌への好適な冷感付与の観点か、吸収層３の縦方向において少なくとも中間部Ｃを含む領域に配されることが好ましい。
【００３４】
肌の敏感な部分への刺激を抑制する観点から、前述したサイドシート５が、吸収層３の幅方向外方から吸収層３の幅方向両端縁３９を跨ぎ、縦方向に延出していることが好ましい。また、少なくとも中間部Ｃにおいて、サイドシート５の幅方向内側端が、最も幅方向外側に位置する分断部８より幅方向外側にあることが好ましい。これにより、仮に冷感剤が分断部８を越えて滲出する場合でも、サイドシート５が、冷感剤の揮発成分が着用者の鼠蹊部の付近を直接的に刺激することを抑えることができる。このとき、サイドシート５が表面層１よりも通気性が低いことが、肌刺激のより効果的な抑制の観点から好ましい。通気性は、この種の物品に用いられる方法により適宜設定できる。例えば、サイドシート５が不織布からなる場合に、繊維間距離を狭めたり、用いる油剤を選択したりして通気性を抑えることができる。通気性は、ＪＩＳ  Ｌ１９１３の「６．８．２  ガーレ形式」によって測定したときに、サイドシート５の通気度が表面層１の通気度よりも低いことが好ましい。なお、サイドシートが当該ガーレ形式で測定できないほど小さい場合には、サイドシートを、その大きさより小さい開口を有する非通気性のフィルム材（好ましくは、コクヨ製ＯＨＰフィルム等）に貼り付けて測定を行い、開口面積値を当該ガーレ形式で規定される面積（６４２ｍｍ２）に換算する。
【００３５】
また、前述した中間繊維層４が、表面層１と吸収層３との間において、平面視で冷感剤を含む領域と重なる部位にあることが好ましい。これにより、表面層１の非肌面側において、冷感剤の揮発した成分を溜める層間の空間が増える。また、中間繊維層４の介在により、冷感剤を長持ちさせ、丁度よい冷感を付与することができる。この場合、冷感剤は、中間繊維層４に含まれていてもよく、含まれていなくてもよい。冷感剤による冷感効果を長く効果的に維持する観点から、冷感剤の含有量が最も多い領域が吸収層３（特に吸収層３の肌面側）にあることが好ましい。
【００３６】
中間繊維層４は、表面層１と幅方向に間欠配置された縦方向に延びる複数の接着剤で接合されていることが好ましい。同様に、中間繊維層４は、吸収層３と幅方向に間欠配置された縦方向に延びる複数の接着剤で接合されていることが好ましい。接着剤の幅方向における間欠配置は、この種の物品について用いられる種々の方法により行うことができる。例えば、ホットメルト型等の接着剤を、線状、スパイラル状、Ω字状、サミット状等に間欠塗工することが挙げられる。このとき、スロットコートガン、スパイラルスプレーガン、スプレーガン、ドットガンなど種々の手段を用いて塗工することができる。
これにより、前記接着剤が、冷感剤が幅方向外方へと拡散することを抑制することができ、所望の場所での冷感効果を維持することができる。
また、吸収層３の肌面側表面積に占める、前記接着剤が配されている面積の割合は、吸液性（液透過性）の確保の観点から、好ましく２０％以下であり、より好ましくは１５％以下であり、更に好ましくは１０％以下である。また、前記接着剤の中間部Ｃにおける吸収層幅に対する塗工幅の割合は、前述の冷感剤の幅方向外方への拡散を抑制する観点から、好ましくは４５％以上であり、より好ましくは６０％以上であり、更に好ましくは７５％以上である。なお、ここで言う「接着剤の塗工幅」は、接着剤が幅方向に間欠的に配されている場合は、各塗工部分における接着剤の幅の合計である。
【００３７】
さらに中間繊維層４は熱可塑性繊維を含む不織布であることが好ましい。中間繊維層４がこのような不織布であることによって液拡散性の高いものとなる。これによって、冷感剤が中間繊維層４に含まれる場合、吸収層３の肌面側に含まれる場合のいずれであっても、冷感剤が非肌面側へと厚み方向に滲出することを抑制して、冷感効果がより長く維持されやすくなる。
また、中間繊維層４は、表面層１よりも繊維密度が高いことが好ましい。この疎密勾配効果によって、表面層１への冷感剤の移行量を中間繊維層４の面で制御しつつ、分断部８の作用によって分断部８から優先的に冷感剤の揮発成分を肌へと送り込むことができる。この結果、肌への過度な刺激を抑えながら長時間冷感を保つことができる。
【００３８】
吸収層３としては、分断部８による上記作用を奏する限り、吸収性物品として通常用いられる種々の形態のものを特に制限なく採用することができる。例えば、親水性繊維の積繊体または親水性繊維と高吸収性ポリマー材との混合積繊体を親水性の被覆シートで覆ったものでもよい。また、親水性繊維からなる２つのシート状の繊維層間に高吸収性ポリマー材を挟持して固定した薄い吸収性シートから構成されていてもよい。吸収性シートの形成にあたっては、高吸収性ポリマーが湿潤によって発現する粘着力や別に添加した接着剤や接着性繊維等のバインダーを利用して一体化することができる。作製は通常用いられる種々の方法によって行うことができ、湿式、乾式いずれの方式によってもよい。
吸収性シートは厚みを３．０ｍｍ以下に抑えながら、高吸収性ポリマー材をシートの平面方向に分散配置させているためゲルブロッキングを起こし難く、高い吸収力を有する。例えば、特開平８−２４６３９５号公報の段落［００１９］〜［０１３１］に記載のものなどが挙げられる。
【００３９】
吸収層３は、前述した高吸収性ポリマー材及び親水性繊維を含む吸収性シートから構成されていることが好ましい。これにより、吸収層３の薄型化が可能であり、分断部８が所望の位置に配置しやすく、冷感付与を所望の位置で強化することができる。
【００４０】
吸収層３としては、分断部８によって冷感剤の揮発成分を肌面へとより効果的に送り込む観点から、厚み方向に積層構造を有することが好ましい。吸収層３が積層構造を有すると、吸収層３の変形の有無にかかわらず、層間の空間に冷感剤の揮発した成分を溜めやすくなる。また、冷感剤が吸収層３内に滲出する場合、同一層内での移動が生じやすく、厚み方向への冷感剤の滲出量を抑制することができる。これにより吸収層３内の肌面側に近い層間において冷感剤の揮発した成分を溜めることができる。このようにして層間に十分に溜まった冷感剤の揮発した成分は、吸収層３の変形によって層間が開閉して、分断部８によってできる通気路を通じて肌面へと送り込まれ、適度な冷感を長く感じさせることができる。
【００４１】
吸収層３は、上記の層間の開閉性を高める観点から、前述した吸収性シートを積層させた構造であることがより好ましい。またこれにより、吸収層３の所望の場所に分断部８を設けやすくなり、着用者に付与する冷感をより精度よく制御することが可能となる。
【００４２】
次に、吸収層３の好ましい具体的な構造と、吸収層３における分断部８の好ましい配置について説明する。
【００４３】
図２及び３に示す吸収層３は、前述した高吸収性ポリマー及び親水性繊維を含む吸収性シートから構成されている。吸収性シートが積層された構造を有する。より具体的には、吸収層３は、本体吸収性シート３１と、本体吸収性シート３１の非肌面側に配された中央吸収性シート３２とを有し、両吸収性シートが折り畳まれた積層構造を有する。これにより、冷感剤が折り畳まれたシート層の面方向に拡散しやすく、冷感剤が吸収層３の非肌面側へと厚み方向に滲出することをより効果的に抑制することができる。
【００４４】
本体吸収性シート３１は、裏面層２側で幅方向の両端部を重ね合わせて三つ折りされた、折り畳み構造を有する。本体吸収性シート３１は、中間部Ｃから前方部Ｆ及び後方部Ｒに及ぶ長さを有し、吸収層３の外形形状をなしている。
中央吸収性シート３２は、表面層１側で幅方向の両端部を重ね合わせて三つ折りされた、折り畳み構造を有する。中央吸収性シート３２は、折り畳まれた状態において、折り畳まれた本体吸収性シート３１よりも幅狭であり、本体吸収性シート３１よりも縦方向の長さが短く、中間部Ｃの幅方向中央に配されている。中央吸収性シート３２は、本体吸収性シート３１の折り畳み構造の内部に収められている。この配置において、中央吸収性シート３２は、本体吸収性シート３１の肌面側ではなく非肌面側にあり、少なくとも本体吸収性シート３１の肌面側部分３１Ａよりも非肌面側に配されている。
【００４５】
吸収層３は、上記の積層構造において、中央吸収性シート３２を有することによって、中間部Ｃの幅方向中央に、本体吸収性シート３１と中央吸収性シート３２との重なり部分として、周囲より厚い高坪量部３３を備える。高坪量部３３の位置において、ナプキン１０が着用者の肌面にフィットしやすく、冷感を着用者が感じやすくなり好ましい。また、吸収層３は、高坪量部３３におけるシートの積層構造によって、層間における厚み方向への冷感剤の滲出量を抑制することができる。これにより、冷感剤の揮発した成分を、中間部Ｃの領域において、吸収層３の比較的肌に近い位置で溜めて肌へと送り込むことができ好ましい。
【００４６】
吸収層３において、高坪量部３３の厚み（Ｈ１）に対する、高坪量部３３以外の部分の厚み（Ｈ２）の比（Ｈ２／Ｈ１）は、肌面に対して違和感なく使用する観点から、１／５以上が好ましく、１／３以上がより好ましい。前記比（Ｈ２／Ｈ１）は、フィット性の観点から、４／５以下が好ましく、２／３以下がより好ましい。
また吸収層３において、高坪量部３３の坪量（Ｍ１）に対する、高坪量部３３以外の部分の坪量（Ｍ２）の比（Ｍ２／Ｍ１）は、排泄液吸収時の液拡散防止の観点から、１／４以上が好ましく、１／３以上がより好ましい。前記比（Ｍ２／Ｍ１）は、高坪量部と低坪量部の剛性差によるヨレ防止の観点から、７／８以下が好ましく、２／３以下がより好ましい。
【００４７】
中央吸収性シート３２の折り畳み構造としては、図２に示す態様に限らず、種々のものとすることができる。例えば、図６（Ａ）〜（Ｄ）に示すような折り畳みであってもよい。図６（Ａ）は、中央吸収性シート３２の幅方向の両端部をそれぞれ肌面側と非肌面側とに折り返しＳ字状に折り畳んだ態様を示している。図６（Ｂ）は幅方向に二つ折りした態様を示している。図６（Ｃ）及び（Ｄ）は、幅方向に三つ折りした各部分の長さが等しくなるように折り畳んだ態様を示している。
【００４８】
本体吸収性シート３１の折り畳み構造は、図２に示す態様に限らず、種々のものとすることができる。例えば、中央吸収性シート３２の折り畳み構造として示した図６（Ａ）〜（Ｄ）と同様のものとしてもよい。また肌面側と非肌面側とに分かれた２枚のシートを積層した構造であってもよい。さらに、本体吸収性シート３１の折り畳み構造の内部に中央吸収性シート３２を内包する態様に限定されず、内包せずに、本体吸収性シート３１の折り畳み構造の非肌面側に中央吸収性シート３２を積層する態様であってもよい。
ただし、本体吸収性シート３１の折り畳み構造の内部に中央吸収性シート３２を内包する態様であると、冷感剤の揮発成分をより溜めやすくなり、前述した分断部８の作用の観点から好ましい。
【００４９】
吸収層３がどのような積層構造を有していても、吸収性シートの重なり部分が接合されないことが好ましい。これにより、吸収層３の層間の空間が形成されやすく、前述の層間の開閉性が高まる。その結果、分断部８を通じた冷感剤の揮発成分の肌への送り込みをより発現させやすくすることができる。
【００５０】
このような吸収層３において、分断部８はスリット部８１として複数配されている。
スリット部８１は、吸収層３を厚み方向に貫通して形成されている。高坪量部３３においては、スリット部８１は、本体吸収性シート３１と中央吸収性シート３２とを合わせた積層部分を貫通している。高坪量部３３以外の部分では、スリット部８１は、本体吸収性シート３１の積層部分全体を貫通している。これにより、高坪量部３３、高坪量部３３の以外の部分のいずれにおいても、吸収層３のスリット部８１の軸にした変形、層間の開閉がより確実に生じ得るので好ましい。
【００５１】
スリット部８１は、吸収層３を平面視した縦方向において、少なくとも中間部Ｃを含む領域に配されることが好ましい。また、スリット部８１のうち最も幅方向外側に位置するものは、前述のとおり、吸収層３の幅方向両端縁３９よりも内側にあり、冷感剤が含まれる領域よりも幅方向外側に配されることが好ましい。
【００５２】
スリット部８１は、吸収層３の平面視において縦方向に延びる長さを有して該縦方向に複数配列されている。該縦方向の配列が、幅方向に複数配されている。各列におけるスリット部８１の配置ピッチは、幅方向に隣接するスリット部８１の列同士において、縦方向にずれた配置とされている。以下、スリット部８１が縦方向に並ぶ各列をスリット部列という（各スリット部列を区別する場合は、８５Ａ、８５Ｂ、８５Ｃ・・・と称する。）。また、スリット部列が配される平面方向の領域をスリット部領域８６という。
【００５３】
スリット部８１、８１間の縦方向の間隔Ｌ２は、スリット部８１の長さ（縦方向の長さ）Ｌ１以下にすることが好ましい（図７（Ａ）〜（Ｃ）参照）。スリット部８１間の縦方向の間隔Ｌ２をできるだけ小さくすることによって、冷感剤が吸収層３の幅方向外方へと滲出することに対する抑制効果がより高くなる。この冷感剤の滲出抑制の観点から、スリット部８１、８１間の間隔Ｌ２は、スリット部領域８６全体として、吸収層３の断絶が無い連続部分の長さを意味する。スリット部領域８６が複数のスリット部列８５を有する場合は、全体を１つの列とみなして間隔Ｌ２を把握する。
【００５４】
図７（Ａ）に示すように、１つのスリット部列８５Ａが配されている場合は、スリット部８１、８１間の間隔Ｌ２を、スリット部８１の縦方向の長さＬ１以下にする（Ｌ２≦Ｌ１）ことが好ましい。吸収層３の強度の保持、ヨレ防止の観点から、１列に並ぶスリット部８１同士が連結されないよう、間隔Ｌ２は０（ゼロ）超であることが好ましい。
【００５５】
また、図７（Ｂ）に示すように、並列するスリット部列８５Ａ、８５Ｂ、８５Ｃが配されている場合は、スリット部列同士で幅方向に隣り合うスリット部８１、８１間の縦方向の間隔Ｌ２を、スリット部８１の縦方向の長さＬ１以下にする（Ｌ２≦Ｌ１）ことが好ましい。ここで言うスリット部８１、８１間の縦方向の間隔Ｌ２は、言い換えると、１つのスリット部列に他のスリット部列を投影（例えば、スリット部列８５Ａにスリット部列８５Ｂ及び８５Ｃを投影）してみたときの間隔Ｌ２を意味する。そのため、１つのスリット部列について、スリット部８１、８１間の縦方向の間隔Ｌ２がスリット部８１の縦方向の長さＬ１を超えることがあっても上記の条件を満たせばよい。これにより、スリット部列同士で連携して冷感剤の幅方向に滲出することを抑制することができる。この場合、異なる列同士において隣り合うスリット部８１、８１の間隔Ｌ２が０（ゼロ）となる部分があってもよい。特に、図７（Ｃ）に示すように、異なる列同士において隣り合うスリット部８１、８１の縦方向の間隔Ｌ２を全て０（ゼロ）とすることが好ましい。これにより、スリット部領域８６において、縦方向に対し幅方向に横断するいずれの仮想線上においてもスリット部８１が存在し、冷感剤の幅方向の滲出に対する抑制効果がより高くなる。
【００５６】
吸収層３は、断面視において、図８に示すように、ポリマーリッチ領域３５と繊維リッチ領域３６とを備えることが好ましい。具体的には、図８は、吸収層３を構成する折り畳まれた吸収性シートの一部の厚み断面にポリマーリッチ領域３５と繊維リッチ領域３６とが積層されて一体構造となっている態様を示している。
ポリマーリッチ領域３５と繊維リッチ領域３６とは、高吸収性ポリマー材３７の質量と親水性繊維の質量との合計質量に対する高吸収性ポリマー材３７の質量比率（以下、単に「高吸収性ポリマー材３７の質量比率」と言う。）によって規定される。ポリマーリッチ領域３５は繊維リッチ領域３６よりも前記高吸収性ポリマー材３７の質量比率が相対的に高くされている。一方、繊維リッチ領域３６は、高吸収性ポリマー材３７の質量比率がポリマーリッチ領域３５に対し相対的に低くされている。
【００５７】
繊維リッチ領域３６の厚みは、吸収層３の全厚みに対して、１／１０以上７／１０以下、特に１／３以上２／３以下であることが、体液の拡散性と保持性の観点から好ましい。
また、一体化構造のように、ポリマーリッチ領域３５と繊維リッチ領域３６の境界が明確ではない吸収層３の構造の場合には、その厚みを２等分した場合に一方の厚み領域と他方の厚み領域とを比較して、高吸収性ポリマー材の質量比率が相対的に大きい方をポリマーリッチ領域３５、親水性繊維の質量比率が相対的に大きい方を繊維リッチ領域３６とする。
【００５８】
吸収層３は上記構成により、吸収層３の厚み方向において、吸収後に自由水が相対的に少なくなるポリマーリッチ領域３５と自由水が相対的に多く残る繊維リッチ領域３６とを備え、冷感剤を肌に届ける異なる機構を備える。
具体的には、ポリマーリッチ領域３５は、自由水が相対的に少ないため、冷感剤が適度に揮発できる環境を提供する。この環境下においてポリマーリッチ領域３５で揮発した冷感剤の成分は、スリット部８１（分断部８）の作用によって肌へと送られる。一方、繊維リッチ領域３６は、自由水が多く残るため、冷感剤が水溶性カプセルや剤を送給するためのデリバリーシステムとともに使用される場合に、液の移動に合わせて肌に冷感を付与することができる。また、繊維リッチ領域３５は、冷感剤の揮発を抑制的に発現させることができる。
これにより、冷感剤を、ポリマーリッチ領域３５及び繊維リッチ領域３６のいずれかに優先的に含ませることで、吸液性及び冷感付与性等を好適に制御し得る。
【００５９】
ポリマーリッチ領域３５が冷感剤を含み、該ポリマーリッチ領域３５が繊維リッチ領域３６よりも非肌面側に配される構成であると、繊維リッチ領域３６及び該領域内の自由水によって、ポリマーリッチ領域３５内で冷感剤が揮発した成分が拡散するのを適度に抑えることができる。これにより冷感効果を長持ちさせることができる。その際、スリット部８１は、少なくとも吸収層３の肌面側から繊維リッチ領域３６、ポリマーリッチ領域３５を貫通して配されていることが好ましい。
【００６０】
他方で、繊維リッチ領域３６が冷感剤を含む領域を有し、該冷感剤を含む領域が吸収層３の最も表面層１側（肌面側）に配されていると冷感を感じやすくなる。この場合、繊維リッチ領域３６が冷感剤を抑制的に揮発させる。表面層１に近い位置において、冷感剤の含有量を低減させながら刺激を抑え、冷感効果をより好適なものとなるよう制御するこができ好ましい。
【００６１】
図８に示したポリマーリッチ領域３５と繊維リッチ領域３６とがシート厚みにおいて上下に積層される態様は、吸収層３の折り畳まれた本体吸収性シート３１及び中央吸収性シート３２の全体にあってもよく、一部にあってもよい。また、ポリマーリッチ領域３５と繊維リッチ領域３６とは、図８に示す態様の他、吸収層３を構成する吸収性シートの折り畳み構造おける別々の部位に配されてもよい。肌への過度な刺激を抑制し、適度な冷感効果を長く維持させる観点から、吸収性シートの同一部位に厚み方向に積層されて配されることが好ましい。少なくとも吸収層３の最も表面層１側（肌面側）のシート部分（本体吸収性シート３１の肌面側部分３１Ａ）において、繊維リッチ領域３６、ポリマーリッチ領域３５の順で積層されていることが好ましい。
【００６２】
吸収性シートにおけるポリマーリッチ領域３５と繊維リッチ領域３６の形成は、例えば次のようにして行うことができる。
まず、親水性繊維を含む水スラリーを湿式抄紙して抄造された、湿潤した繊維ウエブを作製する。水スラリーには熱溶融性接着繊維、紙力補強剤などを含ませてもよい。湿潤した状態にある繊維ウエブに対して、高吸収性ポリマー材を散布し、高吸収性ポリマーが繊維間に入り込んだ状態を作り出す。この部分が、吸収性シートにおけるポリマーリッチ領域３５となる。次いで、高吸収性ポリマーを散布した面の上から、親水性繊維及び熱溶融性接着繊維又は紙力補強剤を含む繊維集合体を積層して乾燥、一体化処理をして吸収性シートを得る。後から積層した繊維集合体の部分が繊維リッチ領域３６となる。
また、吸収性シートを乾式で作製する場合は、高吸収性ポリマー材を散布する層は、抄紙、乾燥した紙、種々の方法により作製された不織布であってもよい。高吸収性ポリマー材を繊維間に入り込ませやすくするという観点から、クレープ処理されたような嵩高な紙、エアースルー不織布などが好ましい。この場合、高吸収性ポリマー材とポリマーリッチ領域３５となる層の構成繊維との接合、ポリマーリッチ領域３５となる層と繊維リッチ領域３６となる層との接合には、ホットメルト型接着剤や水溶性接着剤などを用いてもよい。さらに、ポリマーリッチ領域３５となる層に対し、親水性繊維を積層する又は吹き付けることで繊維リッチ領域３６を形成してもよい。
【００６３】
次に、本発明の吸収性物品の好ましい製造方法について説明する。
好ましい製造方法としては、通常用いられる吸収性物品の製造方法の中で、吸収層３の形成工程において次の工程を有する。
すなわち、吸収層となる原料部材の所定幅に亘って冷感剤を塗布する工程（Ｓ１）と、吸収層となる原料部材の表面に冷感剤塗布幅よりも広い幅に亘って吸収層の縦方向に延びる分断部領域を設ける工程（Ｓ２）とを備える。
【００６４】
工程（Ｓ１）において、冷感剤を塗布する幅は、前述した吸収層３の幅方向両端縁３９よりも内側となる領域であることが好ましい。吸収層３の幅に対して例えば７５％以下の範囲となる領域であることがより好ましい。吸収層３となる原料部材が吸収性シート部材である場合には、後述する工程（Ｓ３）の様に折り畳んで積層吸収性シートを形成することがある。そのときは、積層吸収性シートの一の面の幅が上述する吸収層３の幅となる。工程（Ｓ１）において、冷感剤は、溶媒を混合した冷感剤溶液（塗布液）として調製し、塗布する。溶媒としては通常用い得るものを採用することができ、例えば、ジプロピレングリコールなどが挙げられる。
工程（Ｓ２）において、分断部８を形成する領域の幅は、冷感剤塗布幅よりも広く、かつ、前述した吸収層３の幅方向両端縁３９よりも内側となる領域であることが好ましい。吸収層３の幅に対して例えば８５％以下の範囲となる領域であることがより好ましい。
また、工程（Ｓ１）及び工程（Ｓ２）のいずれにおいても、吸収層３となる原料部材の、少なくとも中間部Ｃとなる領域に対して加工処理を行うことが好ましい。
【００６５】
工程（Ｓ１）と工程（Ｓ２）とはどちらが先に行われてもよい。ただし、工程（Ｓ２）の後に、工程（Ｓ１）が行われると、より確実に幅方向両端縁３９への冷感剤の拡散が抑制されることとなり好ましい。
【００６６】
また、工程（Ｓ２）は、分断部８として切り込み（スリット部８１）を形成する工程であることが好ましい。これにより、分断部８の形成を、所望の配置及び深さで精度よく行うことができる。
より具体的には、吸収層となる原料部材が吸収性シート部材であり、折り畳まれることを想定して吸収層３の幅よりも幅広のものを用いる。該吸収性シートの所定の領域に複数の切り込み（スリット部８１）を、面方向に分散配置して設ける。吸収性シートに設ける切り込みは、図３に示すように、吸収層３の縦方向に延びる長さを有して、該縦方向に複数配列されることが好ましく、切り込みの縦方向の配列を吸収層３の幅方向に複数配列することがより好ましい。このとき、前述のとおり、縦方向に並ぶ切り込み間の間隔を該切り込みの長さ以下にすることが更に好ましい。
【００６７】
切り込み（スリット部８１）の形成は、この種の物品に通常用いられる方法によって行うことができる。例えば、ロール周面に、周方向に延びる切断刃が、ロール周方向及びロール軸方向に分散配置されたカッターロールと、対応配置されるアンビルロールとを備えた切断装置を用いて切り込みを形成することができる（図示せず）。前記切断刃は、切り込み（スリット部８１）の縦方向の長さに対応する周方向の長さを有する。この切断刃は、ロール周面において、切り込み（スリット部８１）の所望の配置に対応して分散配置される。また、切り込みの深さは、カッターロールとアンビルロールとのクリアランスや切断刃の大きさ等によって設定することができる。
【００６８】
さらに、吸収層３となる原料部材が吸収性シート部材である場合には、次の工程を有することが好ましい。
すなわち、工程（Ｓ１）及び工程（Ｓ２）の後、吸収性シート部材を冷感剤を塗布した位置の幅方向端よりも外側で折り畳んで積層吸収性シートを形成する工程（Ｓ３）を備えることが好ましい。これにより、吸収性シートが折り畳まれて積層構造となった吸収層３が得られる。冷感剤塗布位置の幅方向端よりも外側で折り畳むことによって、前述のように吸収層３の幅方向両端縁３９よりも内側の領域に冷感剤が含まれることとなり好ましい。
また、工程（Ｓ３）において吸収性シートを折り畳むことによって、製造の過程において、冷感剤の幅方向の滲出しすぎを抑制することができ好ましい。更に吸収性シートが折り畳まれて積層構造となることで、前述のとおり、分断部の作用によって奏する肌への適度な冷感効果をより長く効果的に維持することができる吸収性物品となるため好ましい。
【００６９】
工程（Ｓ３）においては、吸収性シートの折り畳む幅方向の位置を、分断部８領域の幅方向端よりも外側とすることが更に好ましい。
【００７０】
吸収性シートが折り畳まれた積層構造としては、二つ折り、三つ折り等など種々の態様とすることができる。三つ折りとしては、吸収性シートの幅方向両端部を重ね合わせることが好ましい。これにより、冷感剤の揮発成分の溜りを形成しやすく、分断部８による肌への送り込みをより効果的することができる。その際、吸収性シートの冷感剤塗布面を外側にして折り畳むことがより好ましい。また、吸収性シートが前述したようにポリマーリッチ領域３５と繊維リッチ領域３６とを有する場合、繊維リッチ領域３６に冷感剤を塗布して、繊維リッチ領域３６の冷感剤を塗布した領域を外側にして折り畳むことが更に好ましい。
【００７１】
また、吸収性シートとして、幅の異なる複数種類のものを用いてもよい。
例えば、幅の異なる２種類の吸収性シートを用いて、図２に示すように、本体吸収性シート３１の折り畳み構造の内部に中央吸収性シート３２を内包するようにしてもよい。その際、工程（Ｓ１）における冷感剤は、いずれの吸収性シートに塗布してもよい。ただし、冷感剤の厚み方向への滲出の抑制と、分断部８の作用による冷感効果の長く効果的な維持とをより優れたものとする観点から、本体吸収性シート３１となる、幅広の吸収性シートに冷感剤を塗布することが好ましい。
【００７２】
上記のようにして得られた吸収層３の両面に、所定の大きさに裁断された表面層１及び裏面層２を積層し接合して吸収性物品を製造する。その際、必要により中間繊維層４、サイドシート５を所定の大きさ及び形状に成形して積層してもよい。また防漏溝など種々の圧搾処理を施してもよい。
【００７３】
ナプキン１０を構成する部材の形成材料は、この種の物品に用いられるものを特に制限なく用いることができる。
【００７４】
冷感剤としては、着用者の皮膚及び／又は粘膜表面の温度受容器を刺激して、皮膚及び／又は粘膜表面上の温度を変化させることなしに、着用者に爽快感を伝えることのできる種々の剤を用いることができる。例えば、シクロヘキシル誘導体、シクロヘキサノール誘導体、カルボキサミド類など、特開２０１５−１２９１８号公報の段落［０００６］〜［００８６］に記載のものが挙げられる。その中でも、匂いによる爽快感と速効性、持続性の観点から、水不溶性又は水難溶性のものが好ましい。水不溶性又は水難溶性の冷感剤は体液とともに非肌面側へ移行しにくいことから、冷感は持続しやすい。水不溶性又は水難溶性のもとしては、乳酸メンチル、メントールが好ましい。ここで言う「水不溶性又は水難溶性」とは、２５℃の水１Ｌに対して１ｇ以下の溶解性であることを言い、特に「水不溶性」は２５℃の水１Ｌに対して０．１ｇ以下の溶解性であることを言う。
冷感剤は、種々の方法によってナプキン１０に含ませることができる。例えば、溶媒に溶解させた状態でナプキン１０に含ませてもよく、溶媒を用いずに含ませてもよい。また冷感剤はマイクロカプセルに包むなどデリバリー手段を伴ってナプキン１０に含ませてもよい。前記溶媒としては、通常用いられる種々のものを採用できる。例えば、ジプロピレングリコールなどが挙げられる。
【００７５】
冷感剤としては、特に、メントール及び乳酸メンチルを含むことが、冷感効果を着用後素早く感じられると共に穏やかなものとし、持続性を高めることから好ましい。同様の観点から、メントールと乳酸メンチルの含有量は、前者／後者の質量比で、０．０１以上が好ましく、更に０．０２以上が好ましく、また、０．２以下が好ましく、更に０．１５以下が好ましい。
【００７６】
吸収層３を構成する親水性繊維としては、疎水性の繊維を親水化処理したもの、それ自体が親水性であるものが挙げられる。特に、それ自体が親水性でかつ保水性を有するものが好ましい。後者の親水性繊維としては、天然系の繊維、セルロース系の再生繊維又は半合成繊維が好ましい例として挙げられる。親水性繊維としては、特にパルプ、レーヨンが好ましく、パルプが一層好ましい。更にセルロース繊維の分子内及び／又は分子間を架橋させた架橋セルロース繊維や木材パルプをマーセル化処理して得られるような嵩高性のセルロース繊維を用いてもよい。パルプとしては、針葉樹クラフトパルプ或いは広葉樹クラフトパルプのような木材パルプ、木綿パルプ或いはワラパルプ等の天然セルロース繊維等が挙げられるが、それらに限定されるものではない。これらのパルプは１種又は２種以上を用いることができる。
【００７７】
吸収層３を構成する高吸収性ポリマー材３７としては、例えば、アクリル酸又はアクリル酸塩を主成分とし、場合によって架橋剤を添加してなる水溶性のエチレン性不飽和モノマーを重合させて得られるヒドロゲル材料が挙げられる。また、ポリエチレンオキサイド、ポリビニルピロリドン、スルホン化ポリスチレン及びポリビニルピリジンの架橋物、デンプン−ポリ（メタ）アクリロニトリルグラフト共重合物のケン化物、デンプン−ポリ（メタ）アクリル酸グラフト共重合物、デンプン−ポリ（メタ）アクリルエステルグラフト共重合物の加水分解物などが挙げられる。これらの高吸収性ポリマー材は１種を単独で、又は２種以上を組み合わせて用いることができる。高吸収性ポリマー材としては、自重の２０倍以上、特に５０倍以上の純水を吸収・保持できゲル化し得るものが好ましい。
高吸収性ポリマー材３７の形状は、吸収層３に用いられる種々ものを特に制限なく用いることができる。例えば、球状、粒状、繊維状、俵状、塊状などが挙げられる。
【００７８】
表面層１は、液透過性を有する種々のシートを用いることができる。肌触りの良さを考慮すると、親水性の不織布が好ましく、サーマルボンド不織布がより好ましく、エアスルー不織布が特に好ましい。表面層１の不織布を構成する繊維は、親水化処理された熱可塑性樹脂繊維であり、かつ、該繊維が２次クリンプ又は３次クリンプのような立体捲縮がなされた繊維であることが好ましい。具体的には、表面層１の不織布を構成する繊維はポリエチレン、ポリプロピレン、ポリエステル、ナイロン、及びこれらの複合繊維を作成し、所定の長さにカットしてステープルを形成する前の段階で、各種親水化剤を塗工することで親水化する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、通常用いられる親水化剤による親水化処理を用いることができる。
【００７９】
裏面層２としては、防漏性を有する種々のものを用いることができる。例えば、非透湿性若しくは透湿性フィルム単独、又はフィルムと不織布とを貼り合わせたもの、撥水性の不織布（ＳＭＳやＳＭＭＳ等）を用いることができる。コスト面やズレ止め粘着剤とのマッチングなどから、非透湿性フィルム単独を防漏材として用いることが最も好ましい。
【００８０】
中間繊維層４としては、親水性を有し液拡散性に優れているものが好ましい。熱可塑性繊維を含む不織布などが挙げられる。不織布としては、各種の製法によって得られた不織布を用いることができる。例えば、カード法又はエアレイド法により得た繊維ウエブにエアスルー法で繊維どうしの熱融着点を形成したエアスルー不織布、カード法により得た繊維ウエブにヒートロール法で繊維どうしの熱融着点を形成したヒートロール不織布、ヒートエンボス不織布、スパンレース不織布、ニードルパンチ不織布、レジンボンド不織布等の種々の不織布を用いることができる。
【００８１】
サイドシート５としては、撥水性の不織布が好ましく、カード法により製造された不織布、スパンボンド不織布、メルトブローン不織布、スパンレース不織布、ヒートロール不織布、ニードルパンチ不織布等の中から撥水性の物、または撥水処理した種々の不織布を用いることができる。特に好ましくは、例えば、スパンボンド不織布、スパンボンド−メルトブローン（ＳＭ）不織布、スパンボンド−メルトブローン−スパンボンド（ＳＭＳ）不織布等が用いられる。
【００８２】
本発明の吸収性物品は、上記の実施形態の生理用ナプキンに制限されるものではなく、例えばパンティライナー、失禁パッド、尿とりパッド、使い捨ておむつ等に適応することができる。また、経血に限らずその他、尿、オリモノ、軟便等に対しても効果的である。また、上記構成部材の他、用途や機能に合わせ適宜部材を組み込んでもよい。
【００８３】
また、本発明の吸収性物品は、生理用ナプキンやパンティライナーなど１製品毎にカバンなどに入れて持ち運びされる物である場合、個包装されていることが好ましい。具体的には、表面層が内側になるよう縦方向に折り畳まれて、個包装用の外包材によって包まれた吸収性物品個包装体とされていることが好ましい。個包装体とすることで、肌に触れる表面層（使用面）の衛生を守りつつ、携帯性の高い物品することこができ、使用者の利便性を高めることができる。
【００８４】
上述した実施形態に関し、本発明はさらに以下の吸収性物品、吸収性物品個包装体及び吸収性物品の製造方法を開示する。
【００８５】
＜１＞
表面層と吸収層とを備え、着用者の腹側部、股下部及び背側部を繋ぐ方向に対応する縦方向と、該縦方向と直交する幅方向とを有し、該縦方向に沿って、前方部、後方部、及び該前方部と該後方部の間に位置し、排泄ポイントに対応する領域を含む中間部を有する吸収性物品であって、
前記吸収層又は前記吸収層より表面層側の部材に、冷感剤を含む領域を有し、
前記吸収層に分断部を、前記冷感剤を含む領域と平面視において重なる位置に備える、吸収性物品。
【００８６】
＜２＞
前記分断部は、スリット部として複数配されている、前記＜１＞に記載の吸収性物品。
＜３＞
前記スリット部の幅が０．５ｍｍ以下、好ましくは０．３ｍｍ以下、更に好ましくは０．２ｍｍ以下である、前記＜２＞に記載の吸収性物品。
＜４＞
前記分断部は吸収層の幅方向両端縁よりも内側の領域に配されている、前記＜１＞〜＜３＞のいずれか１に記載の吸収性物品。
＜５＞
前記分断部は、前記縦方向に延びる長さを有して前記縦方向に複数配列され、前記分断部間の間隔を該分断部の長さ以下にしている、前記＜１＞〜＜４＞のいずれか１に記載の吸収性物品。
＜６＞
前記冷感剤は、前記吸収層の肌面側であって、該肌面側の幅方向両端縁よりも内側の領域に含まれている、前記＜１＞〜＜５＞のいずれか１に記載の吸収性物品。
＜７＞
前記冷感剤を含む領域において、前記吸収性物品の前記中間部の幅方向中央に、周囲よりも冷感剤坪量が少ない領域を有する、前記＜１＞〜＜６＞のいずれか１に記載の吸収性物品。
＜８＞
前記表面層より肌面側に、前記吸収層の幅方向両端縁を跨ぎ、縦方向に延びるサイドシートが配置され、少なくとも前記中間部において、該サイドシートの幅方向内側端は最も幅方向外側に位置する分断部より幅方向外側にある、前記＜１＞〜＜７＞のいずれか１に記載の吸収性物品。
＜９＞
前記サイドシートは前記表面層よりも通気性が低い、前記＜８＞に記載の吸収性物品。
＜１０＞
前記吸収層は高吸収性ポリマー材及び親水性繊維を含む吸収性シートから構成されている、前記＜１＞〜＜９＞のいずれか１に記載の吸収性物品。
＜１１＞
前記吸収層は前記吸収性シートが積層された構造である、前記＜１０＞に記載の吸収性物品。
＜１２＞
前記吸収層は、断面視において、高吸収性ポリマー材の質量と親水性繊維の質量との合計質量に対する高吸収性ポリマー材の質量比率が相対的に高いポリマーリッチ領域と、前記質量比率が相対的に低い繊維リッチ領域とを備えている、前記＜１０＞又は＜１１＞に記載の吸収性物品。
＜１３＞
前記繊維リッチ領域は前記冷感剤を含む領域を有し、該冷感剤を含む領域が前記吸収層の最も表面層側に配されている、前記＜１２＞に記載の吸収性物品。
＜１４＞
前記表面層と前記吸収層の間には、平面視において前記冷感剤を含む領域と重なる部位に中間繊維層を有する、前記＜１＞〜＜１３＞のいずれか１に記載の吸収性物品。
＜１５＞
前記表面層と前記中間繊維層とは、幅方向に間欠配置された縦方向に延びる複数の接着剤で接合されている、前記＜１４＞に記載の吸収性物品。
＜１６＞
前記中間繊維層と前記吸収層とは、幅方向に間欠配置された縦方向に延びる複数の接着剤で接合されている、前記＜１４＞又は＜１５＞に記載の吸収性物品。
＜１７＞
前記吸収層の肌面側表面積に占める、前記接着剤が配されている面積の割合が１０％以下である、前記＜１６＞に記載の吸収性物品。
＜１８＞
前記中間繊維層が熱可塑性繊維を含む不織布からなる、前記＜１４＞〜＜１７＞のいずれか１に記載の吸収性物品。
＜１９＞
前記中間繊維層は前記表面層よりも繊維密度が高い、前記＜１４＞〜＜１８＞のいずれか１に記載の吸収性物品。
＜２０＞
前記吸収層は前記吸収性シートが折り畳まれて積層構造となっている、前記＜１０＞〜＜１９＞のいずれか１に記載の吸収性物品。
＜２１＞
前記吸収層は、前記吸収性物品の前記中間部の幅方向中央に、周囲より厚い高坪量部を備える、前記＜１＞〜＜２０＞のいずれか１に記載の吸収性物品。
＜２２＞
前記吸収層が本体吸収性シートと該本体吸収性シートの非肌面側に配された前記本体吸収性シートより幅狭な中央吸収性シートとの積層構造を備え、前記本体吸収性シートと前記中央吸収性シートとの重なり部分が前記高坪量部をなしている、前記＜２１＞に記載の吸収性物品。
＜２３＞
前記吸収性物品が生理用ナプキン又はパンティライナーである、前記＜１＞〜＜２２＞のいずれか１に記載の吸収性物品。
＜２４＞
前記＜１＞〜＜２３＞のいずれか１に記載の吸収性物品が、表面層が内側になるよう前記縦方向に折り畳まれて、外包材によって包まれた吸収性物品個包装体。
＜２５＞
吸収層となる原料部材の所定幅に亘って冷感剤を塗布する工程と、吸収層となる原料部材の表面に冷感剤塗布幅よりも広い幅に亘って前記吸収層の縦方向に延びる分断部領域を設ける工程とを備える、吸収性物品の製造方法。
＜２６＞
前記冷感剤を塗布する工程が前記分断部領域を設ける工程の後に行われる、前記＜２５＞に記載の吸収性物品の製造方法。
＜２７＞
前記分断部領域を設ける工程が、吸収性シートの所定領域に複数の切り込みを、面方向に分散配置して設ける工程である、前記＜２５＞又は＜２６＞に記載の吸収性物品の製造方法。
＜２８＞
前記吸収層となる原料部材が吸収性シート部材であり、前記冷感剤を塗布する工程及び前記分断部領域を設ける工程の後、前記吸収性シート部材を前記冷感剤を塗布した位置の幅方向端よりも外側で折り畳んで積層吸収性シートを形成する工程を備える、前記＜２５＞〜＜２７＞のいずれか１に記載の吸収性物品の製造方法。
【００８７】
本発明をその実施形態および実施例とともに説明したが、我々は特に指定しない限り我々の発明を説明のどの細部においても限定しようとするものではなく、添付の請求の範囲に示した発明の精神と範囲に反することなく幅広く解釈されるべきであると考える。
【符号の説明】
【００８８】
１  表面層
２  裏面層
３  吸収層
４  中間繊維層
５  サイドシート
６  ウイング部
８  分断部
１０  生理用ナプキン
【要約】
表面層と吸収層とを備え、着用者の腹側部、股下部及び背側部を繋ぐ方向に対応する縦方向と、該縦方向と直交する幅方向とを有し、該縦方向に沿って、前方部、後方部、及び該前方部と該後方部の間に位置し、排泄ポイントに対応する領域を含む中間部を有する吸収性物品であって、前記吸収層又は前記吸収層より表面層側の部材に、冷感剤を含む領域を有し、前記吸収層に分断部を、前記冷感剤を含む領域と平面視において重なる位置に備える、吸収性物品。【図１】
0006482736.tif 000002
【図２】
0006482736.tif 000003
【図３】
0006482736.tif 000004
【図４】
0006482736.tif 000005
【図５】
0006482736.tif 000006
【図６】
0006482736.tif 000007
【図７】
0006482736.tif 000008
【図８】
0006482736.tif 000009